(57)【要約】【課題】注意啓発を行い工事に伴う動作不良を低減させる室外機の包装材を提供すること。【解決手段】本発明の室外機の包装材は、室内機との配管接続を行うための配管接続部２を覆うカバー３と、カバー３には室内機と接続される配管を通す開口部４とを備えた空気調和機の室外機に設けられる包装材５であって、開口部４にはめ込まれ、包装材５の外方から目視できる箇所に配管接続工事を喚起する表示部６が配されたことにより、配管接続部工事を行った後、カバーを取り付けるときに包装材が邪魔になりカバーの取り付けができず包装材を外す必要が発生し、作業員は必ず包装材に表示された工事の注意事項を確認することにより、工事後の確認を十分行い工事に伴う動作不良の撲滅が図れる。【選択図】図１
2012117784.tif 000002
【特許請求の範囲】
【請求項１】
室内機との配管接続を行うための配管接続部を覆うカバーと、前記カバーには前記室内機と接続される配管を通す開口部とを備えた空気調和機の室外機に設けられる包装材であって、前記開口部にはめ込まれ、前記包装部材の外方から目視できる箇所に配管接続工事を喚起する表示部が配されたことを特徴とする室外機の包装材。
【請求項２】
配管接続工事を喚起する表示部が配されている面の面積は、前記開口部の面積よりも大としたことを特徴とする請求項１に記載の室外機の包装材。
【発明の詳細な説明】
【技術分野】
【０００１】
本発明は、空気調和機の室外機の配管接続部を覆うカバーの開口部を閉塞する包装材に関する。
【背景技術】
【０００２】
従来の空気調和機の室外機は、図４に示すように被梱包物である室外機ａに設けられた配管接続部のカバーｂには、配管間通用の開口部ｃがあり室外機ａを輸送するために梱包した後も、常時開口した状態であった（例えば、特許文献１参照）。
【先行技術文献】
【特許文献】
【０００３】
【特許文献１】特開２００４−２１７３０７号公報
【発明の概要】
【発明が解決しようとする課題】
【０００４】
一方、前記従来の構成のような室外機の据付工事を行うときに、室内機と室外機とを繋ぐ配管接続工事を行ったのち、十分な確認を行わず工事を完了させることがあり、その結果、お客様へ空気調和機の引渡し後、正常な運転が出来ず動作不良となることが起きてしまうという課題を有していた。
【０００５】
本発明は、前記従来の課題を解決するもので、注意啓発を行い工事に伴う動作不良を低減させる室外機の包装材を提供することを目的とする。
【課題を解決するための手段】
【０００６】
前記従来の課題を解決するために、本発明の室外機の包装材は、室内機との配管接続を行うための配管接続部を覆うカバーと、カバーには室内機と接続される配管を通す開口部とを備えた空気調和機の室外機に設けられる包装材であって、開口部にはめ込まれ、包装部材の外方から目視できる箇所に配管接続工事を喚起する表示部が配されたことにより、配管接続部工事を行った後、カバーを取り付けるときに包装材が邪魔になりカバーの取り付けができず包装材を外す必要が発生し、作業員は必ず包装材に表示された工事の注意事項を確認することにより、工事後の確認を十分行い工事に伴う動作不良の撲滅が図れる。
【発明の効果】
【０００７】
本発明は、注意啓発を行い工事に伴う動作不良を低減させる室外機の包装材を提供することができる。
【図面の簡単な説明】
【０００８】
【図１】本発明の実施の形態１における室外機の外観斜視図
【図２】同実施の形態１における要部拡大図
【図３】同実施の形態１における要部拡大図
【図４】従来の室外機の外観斜視図
【発明を実施するための形態】
【０００９】
第１の発明の室外機の包装材は、室内機との配管接続を行うための配管接続部を覆うカバーと、カバーには室内機と接続される配管を通す開口部とを備えた空気調和機の室外機に設けられる包装材であって、開口部にはめ込まれ、包装部材の外方から目視できる箇所に配管接続工事を喚起する表示部が配されたことにより、配管接続部工事を行った後、カ
バーを取り付けるときに包装材が邪魔になりカバーの取り付けができず包装材を外す必要が発生し、作業員は必ず包装材に表示された工事の注意事項を確認することにより、工事後の確認を十分行い工事に伴う動作不良の撲滅が図れる。
【００１０】
第２の発明の室外機の包装材は、特に第１の発明において、配管接続工事を喚起する表示部が配されている面の面積は、開口部の面積よりも大としたことにより、カバーを取り付けたときに包装材が室外機とカバーの間で突っ張り容易に外れることを防止でき、輸送中の脱落や欠品を防止できる。
【００１１】
以下、本発明の実施の形態について、図面を参照しながら説明する。なお、この実施の形態によって本発明が限定されるものではない。
【００１２】
（実施の形態１）
図１は、本発明の実施の形態１における室外機の外観斜視図であり、図２は、要部拡大図である。
【００１３】
図１に示すように、被梱包物である室外機１の側面の一方側には、室内機との配管を接続する配管接続部２が設けられており、配管接続部２を覆って据付状態で配管の接続部を見せないためのカバー３が取り付けられている。
【００１４】
また、カバー３には略Ｃ形状の開口部４が設けられており、室外機１の側面と開口部４とで配管を通すための穴部を形成している。
【００１５】
そして、本実施の形態では、この穴部を閉塞する包装材５を設けており、室内機との配管接続前は、開口部４に包装材５がはめ込まれた形状となっている。
【００１６】
また、包装材５には、外方から目視できる箇所に配管接続工事を喚起する表示部６が配された構成となっている。
【００１７】
そのため、作業員が室外機１の設置工事の際に、室内機と室外機１との配管接続を行なう際には、包装材５を取り外す必要がある。そして、表示部６には確実に配管接続工事の最終確認を行なうように喚起する文字が刻印されているが、作業員は表示部６を必然的に確認することになるので、確実に工事を行なうように促すことができる。
【００１８】
図３は、本発明の実施の形態１における要部拡大図である。図３に示すように、略Ｃ形状の開口部４の開口面積よりも、包装材５の表示部６を有する面の面積を大としている。
【００１９】
本実施の形態では、カバー３において室外機１の側面と接する取付け面８よりも若干外方に飛び出る寸法７を有する構成としている。その結果、包装材５を開口部４へ取り付けた際には、開口部４と室外機１の側面とで包装材５を僅かに圧縮して取り付けることができる。
【００２０】
よって、輸送時などの振動によって容易に包装材５が開口部４から外れないようになる。
【００２１】
なお、本実施の形態では寸法７を設けて、包装材５の面積を大きくしたが、これに限定されることはなく、略Ｃ形状の開口部４の周方向へ広がるような面積を有する包装材としてもよい。
【産業上の利用可能性】
【００２２】
以上のように、本発明にかかる包装材は分離型空気調和機室外機の配管接続用の開口部を閉塞し据付工事の確認作業を啓発させる効果を得るもので、据付工事以外にも取り扱い方法の啓発や分離型空気調和機以外の製品でも同様の効果を得ることが可能である。
【符号の説明】
【００２３】
１  室外機
２  配管接続部
３  カバー
４  開口部
５  包装材
６  表示部
【図１】
2012117784.tif 000003
【図２】
2012117784.tif 000004
【図３】
2012117784.tif 000005
【図４】
2012117784.tif 000006